(57)【要約】【課題】特に操作を必要とすることなくドアの開放状態を維持することができ、その解除に際しても特に操作を要することのないドアキャッチャーを提供する。【解決手段】ドアキャッチャー８は、ドアに取り付けられるべき戸当たり部材４と、戸当たり部材４が当接すべき壁体７に取り付けられるべきキャッチ部材１と、キャッチ部材１と壁体７との間に介装されてキャッチ部材１を壁体７に取り付けるための取付部材２を備え、戸当たり部材４及びキャッチ部材１は、両者が互いに引き合って密着する面として平滑に形成された戸当たり側密着面９及びキャッチ側密着面１０を有し、戸当たり側密着面９及びキャッチ側密着面１０は、いずれか一方が磁石で形成され、他方が磁石又は磁性体材料で形成され、前記取付部材２は、一方の端部が壁体７に対して固定され、他方の端部がキャッチ部材１に接続されてキャッチ部材１を壁体７に対して揺動可能に保持している線条体である。【選択図】        図１
0003204931.tif 000002
【実用新案登録請求の範囲】
【請求項１】
ドアの開く方向に向けて突出して取り付けられるべき戸当たり部材と、
該戸当たり部材が当接すべき壁体に取り付けられるべきキャッチ部材と、
該キャッチ部材と前記壁体との間に介装されて前記キャッチ部材を前記壁体に取り付けるための取付部材を備え、
前記戸当たり部材及び前記キャッチ部材は、両者が互いに引き合って密着する面として平滑に形成された戸当たり側密着面及びキャッチ側密着面を有し、
前記戸当たり側密着面及び前記キャッチ側密着面は、いずれか一方が磁石で形成され、他方が磁石又は磁性体材料で形成され、
前記取付部材は、一方の端部が前記壁体に対して固定され、他方の端部が前記キャッチ部材に接続されて前記キャッチ部材を前記壁体に対して揺動可能に保持している線条体であることを特徴とするドアキャッチャー。
【請求項２】
前記戸当たり側密着面は、鉛直方向又は水平方向と平行になるように形成され、
前記キャッチ側密着面は、前記キャッチ部材が前記壁体に取り付けられた際、前記戸当たり側密着面が鉛直方向と平行に形成されているならば鉛直方向と平行に、前記戸当たり側密着面が水平方向と平行に形成されているならば水平方向と平行に配されていることを特徴とする請求項１に記載のドアキャッチャー。
【考案の詳細な説明】
【技術分野】
【０００１】
本考案は、屋内ドアをほぼ全開の状態で簡便に保持し、またその状態を簡便に解除できるドアキャッチャーに関するものである。
【背景技術】
【０００２】
一般的にドアストッパとして知られているのは、ドアの下方に突っ張り部材を設け、ドア解放時にこの突っ張り部材を下方に引き出して、突っ張り部材下面と床面との摩擦によりドアが自動的に閉じてしまうことを防止するものが多い（例えば特許文献１参照）。
【０００３】
しかしながら、このようなドアストッパはドアの開閉操作を妨げないように、ドアの開閉時には下方に突き出さないように収容されている必要がある。すなわち、ドアの開放を維持するためにはストッパに対して何らかの操作をして引き出す必要がある。またドアを閉じるときはこのストッパを収容する必要がある。このような操作をドアの開閉の度に行うことは大変面倒であり、結局は使用しないことが多くなってくる要因となっている。
【先行技術文献】
【特許文献】
【０００４】
【特許文献１】特開２０１５−１７２３２２号公報
【考案の概要】
【考案が解決しようとする課題】
【０００５】
本考案は、上記従来技術を考慮したものであり、特に操作を必要とすることなくドアの開放状態を維持することができ、その解除に際しても特に操作を要することのないドアキャッチャーを提供することを目的とする。
【課題を解決するための手段】
【０００６】
前記目的を達成するため、本考案では、ドアの開く方向に向けて突出して取り付けられるべき戸当たり部材と、該戸当たり部材が当接すべき壁体に取り付けられるべきキャッチ部材と、該キャッチ部材と前記壁体との間に介装されて前記キャッチ部材を前記壁体に取り付けるための取付部材を備え、前記戸当たり部材及び前記キャッチ部材は、両者が互いに引き合って密着する面として平滑に形成された戸当たり側密着面及びキャッチ側密着面を有し、前記戸当たり側密着面及び前記キャッチ側密着面は、いずれか一方が磁石で形成され、他方が磁石又は磁性体材料で形成され、前記取付部材は、一方の端部が前記壁体に対して固定され、他方の端部が前記キャッチ部材に接続されて前記キャッチ部材を前記壁体に対して揺動可能に保持している線条体であることを特徴とするドアキャッチャーを提供する。
【０００７】
好ましくは、前記戸当たり側密着面は、鉛直方向又は水平方向と平行になるように形成され、前記キャッチ側密着面は、前記キャッチ部材が前記壁体に取り付けられた際、前記戸当たり側密着面が鉛直方向と平行に形成されているならば鉛直方向と平行に、前記戸当たり側密着面が水平方向と平行に形成されているならば水平方向と平行に配されている。
【考案の効果】
【０００８】
本考案によれば、戸当たり側密着面及びキャッチ側密着面が互いに平滑であるため、ドアが閉じて互いが離間する際、互いの面が滑るように作用するので両者は容易且つ円滑に離間する。したがって、ドアが開放された状態からドアを閉塞する際の動作が円滑に行われ、操作性が向上する。また、ドアが開いた際は、キャッチ部材が揺動可能に壁体に取り付けられているので、ある程度ドアが開いて戸当たり部材が壁体に近づくと、キャッチ部材が揺動して戸当たり部材の方に移動して互いに密着する。これにより、ドアを開放すれば自動的にキャッチ部材にて戸当たり部材を保持し、ドアの開放を維持することができる。すなわち、特に操作を必要とすることなくドアの開放状態を維持することができ、その解除に際しても特に操作を要することはなくなる。
【０００９】
また戸当たり側密着面が鉛直方向と平行に形成されている場合、壁体に取り付けられた状態でキャッチ側密着面も鉛直方向と平行となるように配されているので、ドアが開放された際にキャッチ部材が移動して戸当たり部材と密着しやすくなる。また離間する際も、互いがスライドしやすくなり、スムーズな離間操作を実現できる。互いの密着面が水平方向である場合も同様である。
【図面の簡単な説明】
【００１０】
【図１】本発明に係るドアキャッチャーをドア及び壁体に取り付けたときの概略図である。
【図２】ドアが開放している途中の状態を示す概略図である。
【図３】ドアの開放を保持している状態を示す概略図である。
【図４】図３の概略平面図である。
【図５】図３の概略側面図である。
【考案を実施するための形態】
【００１１】
図１に示すように、本発明に係るドアキャッチャー８は、ドア６の開く方向（図１の矢印Ｒ方向）に向けて突出して取り付けられるべき戸当たり部材４と、この戸当たり部材４が当接すべき壁体７に取り付けられるべきキャッチ部材１で形成されている。キャッチ部材１と壁体７との間には、取付部材２が介装されている。この取付部材２は、キャッチ部材１を壁体７に取り付けるためのものである。取付部材２は紐や糸などの線条体である。取付部材２の一方の端部は壁体７に対して治具３（鋲やビス）で固定されている。取付部材２の他方の端部はキャッチ部材１に固定されている。すなわち、キャッチ部材１は壁体７に対して吊られた状態で保持されている。これにより、キャッチ部材１は壁体７に対して揺動可能に保持されている。なお、取付部材（線条体）２はキャッチ部材１に直接固定してもよいし、例えば磁石であるキャッチ部材１を袋等に収容してこの袋に対して取付部材２を固定し、取付部材２とキャッチ部材１とを間接的に接続してもよい。
【００１２】
戸当たり部材４及びキャッチ部材１は、両者が互いに引き合って密着する面として平滑に形成された戸当たり側密着面９及びキャッチ側密着面１０を有している。なお、戸当たり部材４及びキャッチ部材１自体を磁性体材料と磁石、あるいは磁石同士で形成してもよい。少なくとも、戸当たり側密着面９及びキャッチ側密着面１０は互いに引き合う磁性体材料（いずれか一方が磁石で形成され、他方が磁石又は磁性体材料）で形成される必要がある。
【００１３】
ドア６が開放される際、図２に示すように、ドア６の開く方向に突出している戸当たり部材４が壁体７に近づく。このとき、壁体７の損傷を防止するため戸当たり部材４の先端には緩衝材５が取り付けられている。戸当たり部材４が壁体７に近づくと、揺動可能に保持されたキャッチ部材１は磁性により引かれて戸当たり部材４の方向（図２の矢印Ａ方向）に移動する。そして図３〜図５に示すように、ドア６が完全に開放されると戸当たり部材４及びキャッチ部材１は互いの戸当たり側密着面９及びキャッチ側密着面１０にて密着し、ドア６の開放状態は保持される。換言すれば、ドア６が開き、戸当たり部材４が壁体７に接近すると、壁体７に吊り下げられたキャッチ部材（磁石）１が磁性体の戸当たり部材４に引き寄せられ、磁力により戸当たり部材４と連結することで、ドア６の閉鎖を阻止し開放状態を保持する。
【００１４】
したがって、ドア６が開いた際は、キャッチ部材１が揺動可能に壁体に取り付けられているので、ある程度ドア６が開いて戸当たり部材４が壁体７に近づくと、キャッチ部材１が揺動して戸当たり部材４の方に移動して互いに密着するので、ドア６を開放すれば自動的にキャッチ部材１にて戸当たり部材４を保持することになる。これにより、ドア６の開放を維持することができる。すなわち、特にドア６開放以外の操作を必要とすることなくドア６の開放状態を維持することができる。
【００１５】
一方でドア６を閉鎖するときは、ドアノブ等を引くことにより互いの密着面９、１０が滑り、容易に剥離することで、密着状態が解除されることになる。すなわち、戸当たり側密着面９及びキャッチ側密着面１０が互いに平滑であるため、ドア６が閉じて互いが離間する際、互いの面が滑るように作用するので両者は容易且つ円滑に離間する。したがって、ドア６が開放された状態からドア６を閉塞する際の動作が円滑に行われ、操作性が向上する。また、その解除に際しても特にドア６閉塞以外の操作を要することはない。
【００１６】
ここで、戸当たり側密着面９は、鉛直方向又は水平方向と平行になるように形成されている（図の例では鉛直方向）。キャッチ側密着面１０は、キャッチ部材１が壁体７に取り付けられた際、戸当たり側密着面９が鉛直方向と平行に形成されているならば鉛直方向と平行に、戸当たり側密着面９が水平方向と平行に形成されているならば水平方向と平行に配されている（図の例では鉛直方向と平行）。これは、互いの面の密着及び離間動作をより確実に実行させるため、またドア閉鎖時に互いの簡便な離脱を可能にするためである。すなわち、戸当たり側密着面９が鉛直方向と平行に形成されている場合、壁体７に取り付けられた状態でキャッチ側密着面１０も鉛直方向と平行となるように配されているので、ドア６が開放された際にキャッチ部材１が移動して戸当たり部材４と密着しやすくなる。また離間する際も、互いがスライドしやすくなり、スムーズな離間操作を実現できる。この作用は互いの密着面が水平方向である場合も同様である。
【符号の説明】
【００１７】
１：キャッチ部材、２：取付部材、３：治具、４：戸当たり部材、５：緩衝材、６：ドア、７：壁体、８：ドアキャッチャー、９：戸当たり側密着面、１０：キャッチ側密着面
【図１】
0003204931.tif 000003
【図２】
0003204931.tif 000004
【図３】
0003204931.tif 000005
【図４】
0003204931.tif 000006
【図５】
0003204931.tif 000007